(57)【要約】【課題】初心者であるユーザが混乱することなく安心して操作を行なうことができる表示機器を提供する。【解決手段】ＣＰＵがメニュー釦が操作されたことを受けてタイマーの計時を開始し、有効な操作が行なわれたときにだけステップＳ５０６の処理でタイマをリセットして非表示にするまでの時間を延長する。このことによって初心者がゆっくりと操作を行なってもメニューが非表示になることのない、使い易い表示機器が実現するとともに、無効操作が行なわれ続けた場合には意図的にメニュー画面を非表示にしてユーザに対して注意を促すことができるようにもなる。【選択図】        図５
2008250883.tif 000002
【特許請求の範囲】
【請求項１】
画像を表示する表示画面と複数の操作が可能な操作子群とを備え、該操作子群の所定のメニュー表示操作に応じて該表示画面上にメニューを表示させ該操作子群の更なる操作により該表示画面上へのメニューの表示を更新させながら各種設定を行ない、該操作子群の所定のメニュー終了操作に応じて該表示画面からのメニュー表示を消去させる設定モードを有する表示機器において、
前記設定モードにおいて動作し、前記表示画面上に現在表示されているメニューに対し有効な操作が行なわれる毎にリセットされるタイマと、
前記タイマが所定のタイムアップ時間を計時した時点で前記表示画面からメニューを消して前記設定モードを抜ける設定モード強制終了手段とを備えたことを特徴とする表示機器。
【請求項２】
前記設定モードにおいて、前記表示画面上にメニューを表示するとともに操作可能な操作子を表わすガイダンスを表示する表示制御手段を備えたことを特徴とする請求項１記載の表示機器。
【請求項３】
前記設定モードにおいて、前記タイマによる計時が前記タイムアップ時間に近づくに従って前記表示画面上に表示させる画像の少なくとも一部の色を変化させる表示制御手段を備えたことを特徴とする請求項１記載の表示機器。
【請求項４】
前記表示制御手段は、前記設定モードにおいて、前記タイマによる計時が前記タイムアップ時間に近づくに従って前記表示画面上に表示させる画像の少なくとも一部の色を順次変化させるものであることを特徴とする請求項３記載の表示機器。
【請求項５】
前記設定モードにおいて、前記タイマによる計時が前記タイムアップ時間に近づくに従って前記表示画面上に表示させる画像の少なくとも一部を点灯から点滅に変化させる表示制御手段を備えたことを特徴とする請求項１記載の表示機器。
【請求項６】
前記表示制御手段は、前記設定モードにおいて、前記タイマによる計時が前記タイムアップ時間に近づくに従って前記表示画面上に表示させる画像の少なくとも一部を点灯から点滅に変化させて、さらに点滅周期を変化させるものであることを特徴とする請求項５記載の表示機器。
【請求項７】
前記設定モードにおいて、前記タイマによる計時が前記タイムアップ時間に近づくに従って前記表示画面上に表示させる画像の少なくとも一部について色を変化させるとともに点灯から点滅に変化させる表示制御手段を備えたことを特徴とする請求項１記載の表示機器。
【請求項８】
前記表示制御手段は、前記設定モードにおいて、前記タイマによる計時が前記タイムアップ時間に近づくに従って前記表示画面上に表示させる画像の少なくとも一部について色を順次変化させるとともに点灯から点滅に変化させてさらに点滅周期を変化させるものであることを特徴とする請求項７記載の表示機器。
【請求項９】
画像を表示する表示画面と複数の操作が可能な操作子群とを備え、該操作子群の所定のメニュー表示操作に応じて、該表示画面上にメニューを表示させ該操作子群の更なる操作により該表示画面上へのメニューの表示を更新させながら各種設定を行ない、該操作子群の所定のメニュー終了操作に応じて該表示画面からのメニュー表示を消去させる設定モードを有する表示機器において、
前記設定モードにおいて動作し、前記表示画面上に現在表示されているメニューに対し無効な操作の操作回数を計数するとともに有効な操作が行なわれる毎にリセットされるカウンタと、
前記カウンタが所定のカウントアップ計数値を計数した時点で前記表示画面からメニューを消して前記設定モードを抜ける設定モード強制終了手段とを備えたことを特徴とする表示機器。
【請求項１０】
前記設定モードにおいて、前記表示画面上にメニューを表示するとともに操作可能な操作子を表わすガイダンスを表示する表示制御手段を備えたことを特徴とする請求項９記載の表示機器。
【請求項１１】
前記設定モードにおいて、前記カウンタによる計数値が前記カウントアップ計数値に近づくに従って前記表示画面上に表示させる画像の少なくとも一部の色を変化させる表示制御手段を備えたことを特徴とする請求項９記載の表示機器。
【請求項１２】
前記表示制御手段は、前記設定モードにおいて、前記カウンタによる計数値が前記カウントアップ計数値に従って前記表示画面上に表示させる画像の少なくとも一部の色を順次変化させるものであることを特徴とする請求項１１記載の表示機器。
【請求項１３】
前記設定モードにおいて、前記カウンタによる計数値が前記カウントアップ計数値に近づくに従って前記表示画面上に表示させる画像の少なくとも一部を点灯から点滅に変化させる表示制御手段を備えたことを特徴とする請求項９記載の表示機器。
【請求項１４】
前記表示制御手段は、前記設定モードにおいて、前記カウンタによる計数値が前記カウントアップ計数値に近づくに従って前記表示画面上に表示させる画像の少なくとも一部を点灯から点滅に変化させてさらに点滅周期を変化させる表示制御手段を備えたことを特徴とする請求項１３記載の表示機器。
【請求項１５】
前記設定モードにおいて、前記カウンタによる計数値が前記カウントアップ計数値に近づくに従って前記表示画面上に表示させる画像の少なくとも一部について色を変化させるとともに点灯から点滅に変化させる表示制御手段を備えたことを特徴とする請求項９記載の表示機器。
【請求項１６】
前記表示制御手段が、前記設定モードにおいて、前記カウンタによる計数値が前記カウントアップ計数値に近づくに従って前記表示画面上に表示させる画像の少なくとも一部について色を順次変化させるとともに点灯から点滅に変化させてさらに点滅周期を変化させるものであることを特徴とする請求項１５記載の表示機器。
【発明の詳細な説明】
【技術分野】
【０００１】
本発明は、表示画面を備え、当該表示機器が実行することが可能な動作項目を表示画面上に多数表示しておいて操作によりいずれかの動作項目が選択されたときには選択された動作項目に対応する動作が行なわれる表示機器に関する。
【背景技術】
【０００２】
最近、携帯機器であるカメラ付き携帯電話機や薄型構造を持つデジタルカメラなどの普及率が高まり、誰でもがそのような携帯機器を携帯するようになってきている。このような携帯機器においては、例えばカメラ付き携帯電話であれば携帯電話機の機能だけでなく撮影機能やテレビジョン放送を受像して表示する受像機能などの付加機能が備えられているものが多い。このため最近の携帯機器には表示画面が備えられていることを利用して表示画面上に携帯機器が有する多数の機能のうちのいずれかをユーザに簡単に選択させることができるようにメニュー釦操作などに応じて上記撮影機能や受像機能など多数の機能がメニューの形で一度に表示画面上に表示されるようになっているものが多い。さらに最近の携帯機器においては主機能のメニューが表示されているときの更なる操作に応じてその主機能に付加されている付加機能が新たなメニューの形で表示されるようになっているものもある。
【０００３】
図１は、本発明の一実施形態であるデジタルカメラ１の外観を示す図である。
【０００４】
図１（ａ）には、デジタルカメラを正面から見た図が示されており、図１（ｂ）には、デジタルカメラを背面から見た図が示されている。
【０００５】
図１（ａ）に示すように、ボディ中央右寄りには撮影レンズ１１０１が備えられており、その撮影レンズ１１０１の右斜め上方には発光窓１９０Ａが備えられている。さらにボディ１ａ上面にはレリーズボタン１０ａなどが備えられている。また、図１（ｂ）に示すように、ボディ１ａ背面には液晶モニター１２５Ａが備えられており、その液晶モニター１２５Ａの隣にはメニューを液晶モニター１２５Ａ上に表示するときに操作されるＭＥＮＵ／ＯＫ釦１０ｂや液晶モニタ１２５Ａ上のメニューの中のいずれかの項目を選択するときに操作される十字キー１０ｃや、液晶モニター１２５Ａを非表示にしたり表示にしたり、またメニューから抜けるときに操作されるＤＩＳＰ／ＢＡＣＫボタン１０ｄや液晶モニター１２５Ａ上に既撮影画像を再生表示するときに操作される再生釦１０ｅやズームスイッチ１０ｆなどの操作子が備えられている。尚以降においては、これらの操作子をまとめて操作子群１０と記載することがある。
【０００６】
ここで、図１（ｂ）のメニュー釦１０ｂが押されて設定モードになったときに液晶モニタ１２５Ａ上に表示されるメニューを説明する。
【０００７】
図２は、液晶モニタ１２５Ａ上に表示されるメニューの表示の一例を示す図であり、図３は、液晶モニタ１２５Ａ上に表示されるメニューの表示の別例を示す図である。
【０００８】
図２（ａ）には、メニュー釦１０ｂが押されたときに液晶モニタ１２５Ａ上の画像が切り替えられてメニューが表示されているときの状態が示されており、図２（ｂ）、図２（ｃ）には、図２（ａ）のメニューが表示されているときに十字キー１０ｃの操作に応じて表示画面が切り替えられた後の状態が示されている。
【０００９】
まずメニュー釦１０ｂが押されると、図２（ａ）に示すように液晶モニタ１２５Ａ上に上からＡＢＣＤ、ＥＦＧＨＩＪ、ＫＬＭ、ＮＯＰＱ、ＯＦＦ、ＳＴＥＬＬＥＮという６つの項目からなるメニューが表示される。このときには一番上の‘ＡＢＣＤ’の文字上に選択カーソル（図中点線で示されている）が重ねて表示されるとともに‘ＡＢＣＤ’という文字の右端に符号‘＞’が表示される。この図２（ａ）の表示状態にあるときに十字キー１０ｃの右キーが操作されると、図２（ｂ）の表示に切り替わって‘ＡＢＣＤ’の表示の横に、ＯＦＦ，ＡＢＣＤ，ＥＦＧという３つの項目のメニューが表示される。このときには、図２（ａ）のメインメニューで‘ＡＢＣＤ’が選択されているのでこの３つの項目の中の‘ＡＢＣＤ’に選択カーソルが重ねて表示される。この図２（ｂ）の内容が表示された後で十字キー１０ｃの右キーがさらに操作されると、図２（ｃ）の表示に切り替わる。このときには、‘ＡＢＣＤ’の文字上の選択カーソル（図中点線のハッチングで示されている）が確定カーソル（図中実線のハッチングで示されている）に変更されて液晶モニタ１２５Ａの上方の表示が‘あいうえお’というモードから‘いろはにほへと’というモードに切り替えられることにより、確定カーソルが置かれている‘ＡＢＣＤ’が実行されたことが液晶モニタ１２５Ａ上に表示される。このようにユーザは液晶モニター１２５Ａ上のメニューを見ながら所望の設定を簡単に行なうことができる。さらにこのようなメニューが表示される携帯機器の中には、操作性を考慮して、図２（ｂ）、又は図２（ｃ）の表示状態にあるときに所定の時間以上操作が行なわれなかったときには例えば図２（ａ）の最初の表示画面のメニューを標準画面としてその標準画面に表示が自動的に切り替えられるもの（例えば特許文献１、２参照）がある。
【００１０】
しかし、携帯機器を扱う人の多くは初心者であり、その初心者の中には、図２（ａ）又は図２（ｂ）の表示状態にあって何をどのように操作して良いか分からずに時間が経過してしまう場合がある。その場合に、不意に標準画面に切り替えられると余計に混乱することが予想される。
【００１１】
また、特許文献３、４には、操作状態から初心者であるかどうかを判定して初心者であると判定した場合には初心者向けの操作用のガイダンスを表示する技術が提案されている。しかし、特許文献３、４の技術が携帯機器に適用されて図３に示す様にメニューとともにガイダンスが表示されたとしても、それでもなお初心者の多くは何をしたら良いかが分からない場合が多く、またメニューの閉じ方も分からないため、結局電源を投入してもパワーオフするしかなく、何もしないのに電源を投入して無駄な操作を繰り返してしまうことが予想される。
【００１２】
さらに特許文献５、６等には、メニュー表示・非表示用の操作子を省略してメニュー表示操作を行わなくても所定の操作に応じてメニューが表示され設定が終了した後、設定が開始されてからの所定の経過時間をもって自動的にメニューが消去される技術が提案されている。
【００１３】
しかし特許文献５の技術においては、一旦設定モードに入ってメニューが表示されると所定の時間が経過しない限りは設定モードから抜けることができない。また初心者は操作に時間がかかるため、操作中に何の脈絡もなく所定の時間が経過したからといって表示画面が突然消えてしまうと混乱することが予想される。さらに特許文献６の技術においては、ユーザが操作子を操作しようとして操作子に指が近づいたときにメニューが表示され設定を終えて操作子から指が離れた後暫くしてメニューが消えてしまうため、初心者にとっては却って扱いにくく混乱してしまうことが予想される。
【特許文献１】特開２０００−２８３６５０号公報
【特許文献２】特開２０００−２７６６５７号公報
【特許文献３】特開平０５−３５４３２号公報
【特許文献４】特開平０８−４４５２０号公報
【特許文献５】特開平７−３２２１６４号公報
【特許文献６】特開２００４−１２７０９７号公報
【発明の開示】
【発明が解決しようとする課題】
【００１４】
本発明は上記問題点を解決し、初心者であるユーザが混乱することなく安心して操作を行なうことができる表示機器を提供することを目的とするものである。
【課題を解決するための手段】
【００１５】
上記目的を達成する本発明の第１の表示機器は、画像を表示する表示画面と複数の操作が可能な操作子群とを備え、操作子群の所定のメニュー表示操作に応じて該表示画面上にメニューを表示させ操作子群の更なる操作によりその表示画面上へのメニューの表示を更新させながら各種設定を行ない、操作子群の所定のメニュー終了操作に応じて該表示画面からのメニュー表示を消去させる設定モードを有する表示機器において、
上記設定モードにおいて動作し、上記表示画面上に現在表示されているメニューに対し有効な操作が行なわれる毎にリセットされるタイマと、
上記タイマが所定のタイムアップ時間を計時した時点で上記表示画面からメニューを消して上記設定モードを抜ける設定モード強制終了手段とを備えたことを特徴とする。
【００１６】
上記本発明の第１の表示機器によれば、初心者によってゆっくりと操作が行なわれたとしても有効な操作が行なわれる度にタイマがリセットされるので、メニューが非表示になるまでの時間が延長されて操作の最中にメニューが消えてしまうことが防止される。また無効な操作ばかりが行なわれた場合には、無効な操作が行なわれていることを知らせる意味を含めてメニューを消してユーザに注意を促すこともできる。
【００１７】
また上記設定モードにおいて、上記表示画面上にメニューを表示するとともに操作可能な操作子を表わすガイダンスを表示する表示制御手段を備えると尚良い。
【００１８】
そうすると、上記表示制御手段が、メニューとともにガイダンスを表示画面上に表示してユーザに操作方法を通知することでユーザに有効な操作を行なわせることができるようになる。
【００１９】
ここで、上記設定モードにおいて、上記タイマによる計時が上記タイムアップ時間に近づくに従って上記表示画面上に表示させる画像の少なくとも一部の色を変化させる表示制御手段を備え、
上記表示制御手段が、上記設定モードにおいて、上記タイマによる計時が上記タイムアップ時間に近づくに従って上記表示画面上に表示させる画像の少なくとも一部の色を順次変化させるものであると良い。
【００２０】
そうすると、ユーザが初心者であっても、表示画面上の一部の色の変化を見て視覚的に時間の経過に気付きメニューがもう直ぐ消えることを認識する。
【００２１】
また、上記設定モードにおいて、上記タイマによる計時が上記タイムアップ時間に近づくに従って上記表示画面上に表示させる画像の少なくとも一部を点灯から点滅に変化させる表示制御手段を備えると良く、
上記表示制御手段が、上記設定モードにおいて、上記タイマによる計時が上記タイムアップ時間に近づくに従って上記表示画面上に表示させる画像の少なくとも一部を点灯から点滅に変化させて、さらに点滅周期を変化させるものであっても良い。
【００２２】
また、上記設定モードにおいて、上記タイマによる計時が上記タイムアップ時間に近づくに従って上記表示画面上に表示させる画像の少なくとも一部について色を変化させるとともに点灯から点滅に変化させる表示制御手段を備えると良く、
上記表示制御手段が、上記設定モードにおいて、上記タイマによる計時が上記タイムアップ時間に近づくに従って上記表示画面上に表示させる画像の少なくとも一部について色を順次変化させるとともに点灯から点滅に変化させてさらに点滅周期を変化させるものであっても良い。
【００２３】
また、上記タイマの代わりに上記カウンタを用いてもタイマを用いたのと同様の作用並びに効果を得ることができる。
【００２４】
上記目的を達成する本発明の第２の表示機器は、画像を表示する表示画面と複数の操作が可能な操作子群とを備え、操作子群の所定のメニュー表示操作に応じて、該表示画面上にメニューを表示させ操作子群の更なる操作により表示画面上へのメニューの表示を更新させながら各種設定を行ない、操作子群の所定のメニュー終了操作に応じて表示画面からのメニュー表示を消去させる設定モードを有する表示機器において、
上記設定モードにおいて動作し、上記表示画面上に現在表示されているメニューに対し無効な操作の操作回数を計数するとともに有効な操作が行なわれる毎にリセットされるカウンタと、
上記カウンタが所定のカウントアップ計数値を計数した時点で上記表示画面からメニューを消して上記設定モードを抜ける設定モード強制終了手段とを備えたことを特徴とする。
【００２５】
ここで、上記設定モードにおいて、上記表示画面上にメニューとともに操作可能な操作子を表わすガイダンスを表示する表示制御手段を備えた態様であることが好ましい。
【００２６】
また、上記設定モードにおいて、上記カウンタによる計数が上記カウントアップ計数値に従って上記表示画面上に表示させる画像の少なくとも一部の色を変化させる表示制御手段を備えると良く、
上記表示制御手段が、上記設定モードにおいて、上記カウンタによる計数が上記カウントアップ計数値に従って上記表示画面上に表示させる画像の少なくとも一部の色を順次変化させるものであると良い。
【００２７】
また上記設定モードにおいて、上記カウンタによる計数値が上記カウントアップ計数値に近づくに従って上記表示画面上に表示させる画像の少なくとも一部を点灯から点滅に変化させる表示制御手段を備えると良く、
上記表示制御手段が、上記設定モードにおいて、上記カウンタによる計数値が上記カウントアップ計数値に近づくに従って上記表示画面上に表示させる画像の少なくとも一部を点灯から点滅に変化させてさらに点滅周期を変化させるものであっても良い。
【００２８】
さらに、上記設定モードにおいて、上記カウンタによる計数値が上記カウントアップ計数値に近づくに従って上記表示画面上に表示させる画像の少なくとも一部について色を変化させるとともに点灯から点滅に変化させる表示制御手段を備えると良く、
上記表示制御手段が、上記設定モードにおいて、上記カウンタによる計数値が上記カウントアップ計数値に近づくに従って上記表示画面上に表示させる画像の少なくとも一部について色を順次変化させるとともに点灯から点滅に変化させてさらに点滅周期を変化させるものであっても良い。
【発明の効果】
【００２９】
以上説明した様に初心者であるユーザが混乱することなく安心して操作を行なうことができる表示機器が実現する。
【発明を実施するための最良の形態】
【００３０】
以下図面を参照して本発明の実施の形態を説明する。
【００３１】
図４は、本発明の一実施形態であるデジタルカメラの内部の構成を示すブロック図である。なお、この図４のデジタルカメラは図１に示すデジタルカメラと同じ外観を持つものとする。
【００３２】
図４に示す様に、本実施形態のデジタルカメラ１の動作は、ＣＰＵ１００によって統括的に制御されており、そのＣＰＵ１００にはアドレスバス１０４Ａとデータバス１０４Ｄを介してプログラムが記憶されているメインメモリ１００Ｂが接続されている。本実施形態のデジタルカメラ１においてはＣＰＵ１００が電源が投入されたことを受けてそのメインメモリ１００Ｂにメモリ制御１００Ａを介してアクセスして内部のプログラムの手順にしたがってこのデジタルカメラ１の動作の制御を開始する。
【００３３】
ここで、画像データの流れに沿ってこのデジタルカメラ１の構成を順に説明していく。
【００３４】
図４の左側に示す撮影レンズ１１０１で捉えられている被写体を表わす画像データが、右側の記録媒体１２８に記録されるので、図４の左側にある構成要素から順に説明していく。
【００３５】
図４の左側にある撮影光学系内の撮影レンズ１１０１で捉えられている被写体が撮像素子１２０に結像される。このときには、フォーカスと露出が調整された被写体光を撮像素子１２０に結像させる必要があるので、後述する積算部１２９の積算結果に基づいてＣＰＵ１００によって絞り駆動部１０２が制御され撮影光学系内の絞り１１０２の径が変更され露出調節が行なわれるとともに、ＣＰＵ１００によってレンズ駆動部１０１が制御され撮影レンズ１１０１の中のフォーカスレンズのフォーカス位置が調整されることによりピント調整が行なわれる。
【００３６】
なお、本実施形態においては、撮影レンズ１１０１を備える撮影光学系内に光学ローパスフィルタ１１０４を挿入してエリアシングなどの発生を抑制したり、撮像素子１２０（本例ではＣＣＤ固体撮像素子）の赤外線側の感度が高いので赤外線フィルタ１１０３を挿入して赤外線の悪影響を防止したりしている。
【００３７】
こうして撮影レンズ１１０１が向けられている方向の被写体が撮像素子１２０に結像され撮像素子１２０で被写体を表わす画像データが生成されて撮像素子１２０から被写体を表わす画像データがアナログ信号処理部側１２１へと出力される。
【００３８】
図１に示すようなデジタルカメラにおいては背面側の液晶モニタ１２５Ａがファインダ代わりに用いられるので、電源が投入されたときにＣＰＵ１００は、液晶モニタ１２５Ａ上に動画を表示するために、撮像素子駆動部１０３に指示して所定の間隔ごとに撮像素子１２０に画像を生成させてはアナログ信号処理部１２１へと画像データを出力させている。この撮像素子１２０から出力された画像データを受けてアナログ信号処理部１２１では、ノイズ低減処理などが行なわれノイズ低減処理が行われた画像データが後段のＡ／Ｄ部１２２でデジタル信号の画像データに変換されて画像データがデータバス１０４Ｄ上に導かれる。
【００３９】
データバス１０４Ｄ上に導かれた画像データは、まずデジタル信号処理回路１２３内のフレームメモリにすべて転送される。このデジタル信号処理回路１２３では、ＲＧＢ信号からＹＣ信号への変換などの処理が行なわれＹＣ信号に変換された画像データがＣＰＵ１００の制御の下に表示制御部１２４内の表示バッファメモリ（不図示）に転送される。なお、詳細は後述するが、この表示制御部１２４内にはコード信号に応じて文字を発生するキャラクタジェネレータや登録されたオブジェクトを記録する記録部などが内蔵されており、さらに液晶モニタ上の画面の輝度を変えたり、液晶モニター上の画像の色を変化させる調整回路なども内蔵されている。
【００４０】
そして表示制御部１２４の制御の下に表示部１２５が備える液晶モニタ１２５Ａ上に画像データに基づく画像が表示される。ＣＰＵ１００は、前述した様に撮像素子駆動部１０４に指示して撮像素子１２０に所定の間隔ごとに画像を生成させては出力させているので、表示制御部１２４内の画像バッファメモリの内容が所定の間隔ごとに書き換えられることにより表示部１２５が備える液晶モニター１２５Ａ上の画像が次々に切り替えられて、液晶モニタ１２５Ａ上には撮影レンズ１１０１が捉えている被写体像（以降スルー画という）が表示される。
【００４１】
ここで、その液晶モニタ上のスルー画を見ながらシャッタチャンスにレリーズボタン１０ａが押されたら、まずレリーズボタン１０ａが半押しされたときにＣＰＵ１００が積算部１２９に測光および測距を行なわせて測光結果と測距結果を受け取って絞り駆動部１０２に指示して絞りの径を調節させるとともにレンズ駆動部１０１に指示してフォーカスレンズを合焦位置に移動させてピント調整を行なわせる。
【００４２】
続いて全押しされたときにＣＰＵ１００は、積算部１２９で積算された結果に基づいて半押し時に予め算出しておいたシャッタ速度で撮像素子駆動部１０３に指示して撮像素子１２０に露光を行なわせ露光終了後に被写体を表わす画像データをアナログ信号処理部１２１へと出力させる。このときＣＰＵ１００が被写界輝度が暗いと判定した場合には、発光手段１９０に発光を行なわせて撮影が行なわれる。なおこの例では調光機能付きの発光手段１９０が備えられて例が示されており、発光手段１９０が備える発光部１９０１から発光された光が受光部１９０２で受光され受光された光量が所定の光量になったところで発光部１９０１の発光が停止される構成になっている。
【００４３】
撮像素子１２０から出力された画像データがアナログ信号処理部１２１へ供給されると、アナログ信号処理部１２１では、ノイズ低減処理などが行なわれ、Ａ／Ｄ部１２２でデジタル信号に変換された画像データがバス１０４Ｄ上に導かれ、バス側に導かれた画像データがデジタル信号処理回路１２３内のフレームメモリ内にすべて導かれる。
【００４４】
デジタル信号処理回路１２３ではＹＣ変換処理などの信号処理が行なわれ、デジタル信号処理回路１２３で信号処理が行なわれた後、今度はデータバス１０４Ｄを経由してアドレスバス１０４Ａのアドレス指定に基づいて圧縮伸張処理部１２６に画像データが転送され、この圧縮伸張処理部１２６で画像データが圧縮処理される。さらに圧縮処理された画像データが同様に外部メモリ制御部１２７に転送され外部メモリ制御部１２７の制御の下に記録媒体１２８に記録される。
【００４５】
本実施形態のデジタルカメラ１は以上の構成を持つ。
【００４６】
ここで、ＭＥＮＵ／ＯＫ釦１０ｂが押されて設定モードになったときに液晶モニタ１２５Ａ上に表示されるメニューの表示処理に係わる部分の構成を抜き出してメニューの表示処理の概要を説明する。
【００４７】
メニューの表示の制御はＣＰＵ１００と表示制御部１２４との連携により行なわれる。
【００４８】
この例では、ＣＰＵ１００が操作子群１０（ＭＥＮＵ／ＯＫ釦１０ｂ）の操作を受けて表示制御部１２４に指示して表示部１２５が備える液晶モニタ１２５Ａ上にメニューを表示させたり、液晶モニタ１２５Ａ上のメニューの更新を行なわせたりしている。
【００４９】
説明をより分かり易くするためにＣＰＵ１００が表示制御部１２４の協力を受けて実行するメニュー表示処理の手順をフローチャートを参照して説明する。
【００５０】
図５は、設定モードになったときにＣＰＵ１００が行なう表示処理の処理手順を示すフローチャートである。
【００５１】
ステップＳ５０１でメニュー釦１０ｂが押下されたかどうかを判定する。ここで押されていないと判定したらステップＳ５０１の処理を繰り返し実行する。
【００５２】
ステップＳ５０１で、メニュー釦１０ｂが押されたと判定したら、表示制御部１２４に指示して表示部１２５が備える液晶モニター１２５Ａ上にメニューを表示させるとともに、ＣＰＵ１００内部のタイマをリセットして計時を開始する。
【００５３】
次のステップＳ５０３で、表示制御部１２４に指示してタイマーで計時した時間を液晶モニタ１２５Ａ上に表示させ、次のステップＳ５０４へ進む。ステップＳ５０４でメニュー表示を消灯させる操作例えばＤＩＳＰ／ＢＡＣＫ釦１０ｄが操作されるか、あるいは再生釦１０ｅが押されるかなどの操作が行なわれたかどうかを判定する。
【００５４】
ここＤＩＳＰ／ＢＡＣＫ釦１０ｄや再生釦１０ｅの操作などが行なわれたと判定したらＹｅｓ側へ進んでステップＳ５０８でメニューを消すとともにタイマーをクリアしてステップＳ５０９でタイマー値の表示も消してこのフローの処理を抜ける。
【００５５】
また、ステップＳ５０４でＤＩＳＰ／ＢＡＣＫ釦１０ｄや再生釦１０ｅなどの操作が行なわれていないと判定したらＮｏ側へ進んでステップＳ５０５でメニューが表示されているときの操作として有効なキー操作が行なわれているかどうかを判定する。このステップＳ５０５で有効なキー操作であると判定したらステップＳ５０６へ進んでタイマーをリセットして、ステップＳ５０４に戻ってステップＳ５０４からステップＳ５０６の処理を繰り返す。ステップＳ５０５で有効なキー操作が行なわれずに無効なキー操作が行なわれたと判定したらＹｅｓ側へ進んでステップＳ５０７で現在のタイマー値を参照して規定時間が経過したかどうかを判定する。ステップＳ５０７でタイマー値が規定時間以上になっていないと判定したらステップＳ５０４に戻ってステップＳ５０４からステップＳ５０７の処理を繰り返す。
【００５６】
また、ステップＳ５０７でタイマー値が規定時間以上になっていると判定したら、ステップＳ５０８へ進んでステップＳ５０８でメニューを消してタイマーをクリアし、ステップＳ５０９でタイマー値の表示も消してこのフローの処理から抜ける。
【００５７】
ＣＰＵ１００が図５のフローの処理を実行すると、液晶モニター１２５Ａ上のメニュー表示の時間を、有効な操作が行なわれている限りは延長することができるので、いままでのように初心者が設定操作を行なっている最中に何の前ぶれもなく突然消える率が低減される。
【００５８】
すなわち、初心者が壊れたと不安感を持つことなく安心して操作を行なうことができる表示機器が実現する。
【００５９】
本実施形態においては、本発明にいう設定モード強制終了手段の一例がＣＰＵ１００で構成され、本発明にいう表示制御手段の一例がＣＰＵ１００と表示制御部１２４とで構成される。
【００６０】
図６は、第２実施形態を示す図であり、ＣＰＵ１００がタイマーによる計時処理の代わりにカウンタによる計数処理を使って表示処理を行なうようにした場合の処理手順を示すフローチャートである。
【００６１】
図６の処理は、タイマー処理がカウンター処理に変更されている以外は図５の処理とほぼ同じ処理である。図中ステップを示す数字の後に符号Ａが付加され示されているところの処理がタイマ処理からカウンタ処理に変更されている。また本実施形態ではカウンタで無効キーの操作回数をカウントするために図５の処理に加えて処理ステップＳ５０５１が追加され、カウント値を表示する処理を行なわないので図５のステップＳ５０３の処理が省略され、ステップＳ５０９の液晶モニタ上のタイマー値の表示を消す処理が、ステップＳ５０９Ａのメニューの初期化を行なう処理に変更されている。
【００６２】
このようにタイマーを使う代わりにカウンタを使っても第１実施形態と同様の作用並びに効果が得られる。
【００６３】
次に第３実施形態を説明する。
【００６４】
第１実施形態、第２実施形態では、本発明にいう設定モード強制終了手段を構成するとともに本発明にいう表示制御手段の一部を構成するＣＰＵ１００が液晶モニター１２５Ａ上のメニュー表示・非表示の表示制御のみを行なっているが、ＣＰＵ１００がＣＰＵ１００とともに本発明にいう表示制御手段の一部を構成する表示制御部１２４内のキャラクタジェネレータやオブジェクトを使ってメニューとともに操作用のガイダンスを液晶モニタ１２５Ａ上に表示する構成にすると、より扱い易い表示機器になる。
【００６５】
図７は、第３実施形態を説明する図である。
【００６６】
第３実施形態のデジタルカメラも第１実施形態と同様の構成を持つものとし、図のＣＰＵ１００が図７のフローの処理を実行するものとする。
【００６７】
図５の処理とほぼ同じ様な処理であるが、図５のステップＳ５０３の処理が、表示制御部１２４に行なわせる操作用のガイダンスの表示処理ステップＳ５０３Ｂに変更されている。また図５の処理に加えてステップＳ５０７１〜Ｓ５０７６までの処理が追加され、ステップＳ５０７でタイマー値が規定時間に達していないと判定した場合には、ステップＳ５０７１でタイマ値が規定値の５０％以上になっているか、又はステップＳ５０７３でタイマ値が規定の６０％以上になっているか、又はステップＳ５０７５でタイマ値が規定の８０％以上になっているかを判定して、それぞれのステップでＹｅｓと判定したら、ステップＳ５０７２、ステップＳ５０７４、ステップＳ５０７６の処理で、それぞれ、ガイダンスの色を、緑色、黄色、赤色に変化させる処理を行なわせている。
【００６８】
つまり、本発明にいう表示制御手段の一例を構成するＣＰＵ１００と表示制御部１２４とが、設定モードにおいて、タイマによる計時がタイムアップ時間に近づくに従って表示画面上に表示させる画像の少なくとも一部の色を変化させるものであるということになる。
【００６９】
図８は、ＣＰＵ１００が、図７の処理を実行したときの液晶モニタ上の画像を示す図である。図８に示す様に液晶モニタ１２５Ａ上にガイダンスが表示され、そのガイダンスの色が変化してメニューが消えるまでの時間がユーザに通知されると、初心者は自分が無駄な操作を行なっているのに気付くようになる。このような構成にしても良い。
【００７０】
図９は、第４実施形態を説明する図である。
【００７１】
第４実施形態のデジタルカメラも第１実施形態と同様の構成を持つものとし、図４のＣＰＵ１００が図９のフローの処理を実行するものとする。
【００７２】
第３実施形態ではＣＰＵ１００内のタイマを用いていたが、本実施形態ではＣＰＵ１００内のカウンタを用いている。
【００７３】
図９の処理は、図６の処理とほぼ同じであるが、ステップＳ５０３Ｂのガイダンスの表示処理処理が追加されている。また図６の処理に加えてステップＳ５０７１Ａ〜Ｓ５０７６までの処理が追加され、ステップＳ５０７Ａで規定回数以上に達していないと判定した場合には、ステップＳ５０７１Ａでカウント値が規定回数の１／２以上になっているか、又はステップＳ５０７３Ａでカウント値が規定の２／３以上になっているか、又はステップＳ５０７５Ａでカウント値が規定の５／６以上になっているかを判定して、それぞれのステップでＹｅｓと判定したら、表示制御部１２４に指示して、ステップＳ５０７２、ステップＳ５０７４、ステップＳ５０７６それぞれで緑色、黄色、赤色にガイダンスの色を変化させる処理を行なわせている。
【００７４】
つまり、本発明にいう表示制御手段の一例を構成するＣＰＵ１００と表示制御部１２４が、設定モードにおいて、カウンタによる計数値がカウントアップ計数値に近づくに従って表示画面上に表示させる画像の少なくとも一部の色を順次変化させるものであるということになる。こうしても良い。
【００７５】
図１０は、第５実施形態を説明する図である。
【００７６】
第５実施形態のデジタルカメラも第１実施形態と同様の構成を持つものとし、図４のＣＰＵ１００が図１０のフローの処理を実行するものとする。
【００７７】
図７の処理とほぼ同じであるが、図７の処理のステップＳ５０７２、５０７４，Ｓ５０７６の処理がステップＳ５０７２Ａ、５０７４Ａ，Ｓ５０７６Ａの処理に変更されている。図７のステップＳ５０７でタイマー値が規定時間に達していないと判定した場合には、ステップＳ５０７１でタイマ値が規定値の５０％以上になっているか、又はステップＳ５０７３でタイマ値が規定の６０％以上になっているか、又はステップＳ５０７５でタイマ値が規定の８０％以上になっているかを判定して、それぞれのステップでＹｅｓと判定したらそれぞれ、表示制御部に指示してステップＳ５０７２Ａ、ステップＳ５０７４Ａ、ステップＳ５０７６Ａそれぞれでガイダンスを点灯から点滅に変化させ、さらに２Ｈｚ、１Ｈｚ、０．５Ｈｚの異なる周期でそれぞれガイダンスを点滅させる処理を行なわせている。
【００７８】
つまり、本発明にいう表示制御手段の一例を構成するＣＰＵ１００と表示制御部１２４が、設定モードにおいて、タイマによる計時がタイムアップ時間に近づくに従って表示画面上に表示させる画像の少なくとも一部を点灯から点滅に変化させて、さらに点滅周期を変化させるものであるということになる。このような構成にしても良い。
【００７９】
図１１は、第６実施形態を説明する図である。
【００８０】
第６実施形態のデジタルカメラも第１実施形態と同様の構成を持つものとし、図４に示すＣＰＵ１００が図１０のフローの処理を実行するものとする。
【００８１】
図９の処理とほぼ同じであるが、図９の処理のステップＳ５０７２、ステップＳ５０７４、ステップＳ５０７６の処理がそれぞれステップＳ５０７２Ａ、Ｓ５０７４Ａ、Ｓ５０７６Ａに変更され、ステップＳ５０７Ａでカウント値が規定回数以上に達していないと判定した場合には、ステップＳ５０７１Ａでカウント値が規定回数の１／２以上になっているか、又はステップＳ５０７３Ａでカウント値が規定の２／３以上になっているか、又はステップＳ５０７５Ａでカウント値が規定の５／６以上になっているかを判定したら、標示制御部１２４に指示してステップＳ５０７２Ａ，ステップＳ５０７４Ａ、ステップＳ５０７６Ａそれぞれでガイダンスを点灯から点滅に変化させ、さらに２Ｈｚ、１Ｈｚ、０．５Ｈｚの異なる周期でそれぞれガイダンスを点滅させる処理を行なわせている。
【００８２】
つまり、本発明にいう表示制御手段の一例を構成するＣＰＵ１００と表示制御部１２４が、設定モードにおいて、タイマによる計時がタイムアップ時間に近づくに従って表示画面上に表示させる画像の少なくとも一部を点灯から点滅に変化させて、さらに点滅周期を変化させるものであるということになる。このような構成にしても良い。
【００８３】
図１２は、第７実施形態を説明する図である。
【００８４】
この第７実施形態のデジタルカメラも第１実施形態と同様の構成を持つものとし、図４に示すＣＰＵ１００が図１１のフローの処理を実行するものとする。
【００８５】
いままでの実施形態ではタイムアップが近くづくにつれてガイダンスの部分の色を変化させるか、もしくは点滅周期を変化させるかの一方の処理を表示制御部に指示して行なわせたが、第７実施形態では表示制御部に指示してガイダンスの部分の色を変化させるとともに点滅させ、さらにその点滅周期を変化させる処理を行なわせている。
【００８６】
第７実施形態のデジタルカメラが行なう図１２の処理は、図９の処理とほぼ同じであるが、図９のステップＳ５０７２Ａ、ステップＳ５０７４Ａ、ステップＳ５０７６Ａの処理がステップＳ５０７２Ｂ、ステップＳ５０７４Ｂ、ステップＳ５０７６Ｂに変更されている。ステップＳ５０７１でタイマ値が規定値の５０％以上になっているか、又はステップＳ５０７３でタイマ値が規定の６０％以上になっているか、又はステップＳ５０７５でタイマ値が規定の８０％以上になっているかを判定して、それぞれのステップでＹｅｓと判定したらステップＳ５０７２Ｂ、ステップＳ５０７４Ｂ、ステップＳ５０７６Ｂで表示制御部１２４に指示してガイダンス部分の色を、それぞれ、緑色、黄色、赤色に変化させるとともに点滅周期を２Ｈｚ、１Ｈｚ、０．５Ｈｚに変化させる処理を行なわせている。
【００８７】
つまり、本発明にいう表示制御手段の一例を構成するＣＰＵ１００と表示制御部１２４は、設定モードにおいて、タイマによる計時がタイムアップ時間に近づくに従って表示画面上に表示させる画像の少なくとも一部について色を順次変化させるとともに点灯から点滅に変化させ、さらに点滅周期を変化させるものであるということになる。
【００８８】
この様な構成にしても良い。
【００８９】
図１３は、第８実施形態を説明する図である。
【００９０】
この第８実施形態のデジタルカメラも第１実施形態と同様の構成を持つものとし、図４に示すＣＰＵ１００が図１３のフローの処理を実行するものとする。
【００９１】
この第８の実施形態は、第７の実施形態でタイマーを用いたのをカウンタに変更した以外は同じであり、第８実施形態のデジタルカメラのＣＰＵ１００が実行する図１２の処理は、図１０の処理とほぼ同じであるが、図１０のステップＳ５０７２Ａ、ステップＳ５０７４Ａ、ステップＳ５０７６Ａの処理がステップＳ５０７２Ｂ、ステップＳ５０７４Ｂ、ステップＳ５０７６Ｂに変更されている。ステップＳ５０７１Ａでカウント値が規定値の１／２以上になっているか、又はステップＳ５０７３Ａでカウント値が規定の２／３以上になっているか、又はステップＳ５０７５Ａでカウント値が規定値の５／６以上になっているかを判定して、それぞれのステップでＹｅｓと判定したらステップＳ５０７２Ｂ、ステップＳ５０７４Ｂ、ステップＳ５０７６Ｂで表示制御部１２４に指示してガイダンスの色を、それぞれ、緑色、黄色、赤色に変化させるとともに点滅周期を２Ｈｚ、１Ｈｚ、０．５Ｈｚに変化させる処理を行なわせている。このような構成にしても良い。
【００９２】
以上説明したように、初心者であるユーザが混乱することなく安心して操作を行なうことができる表示機器が実現する。
【図面の簡単な説明】
【００９３】
【図１】デジタルカメラの背面の構成を示す図である。
【図２】液晶モニタ１２５Ａ上に表示されるメニューの表示例を示す図である。
【図３】液晶モニタ１２５Ａ上に表示されるメニューの表示の別例を示す図である。
【図４】本実施形態のデジタルカメラの内部の構成を示すブロック図である。
【図５】ＣＰＵ１００が行なう表示処理の処理手順を示すフローチャートである。
【図６】第２実施形態を示す図であり、ＣＰＵ１００がタイマーの代わりにカウンタを用いて表示処理を行なう場合の処理手順を示すフローチャートである。
【図７】第３実施形態を説明する図である。
【図８】ＣＰＵ１００が、図７の処理を実行したときの液晶モニタ上の画像を示す図である。
【図９】第４実施形態を説明する図である。
【図１０】第５実施形態を説明する図である。
【図１１】第６実施形態を説明する図である。
【図１２】第７実施形態を説明する図である。
【図１３】第８実施形態を説明する図である。
【符号の説明】
【００９４】
１    デジタルカメラ
１０    操作子群
１０ａ    レリーズボタン
１０ｂ    ＭＥＮＹ／ＯＫ釦
１０ｃ    十字キー
１０ｄ    ＤＩＳＰ／ＢＡＣＫ釦
１０ｅ    再生釦
１０ｆ    ズームスイッチ
１００    ＣＰＵ
１００Ａ    メモリ制御部
１００Ｂ    メインメモリ（プログラムメモリ）
１０１    レンズ駆動部
１０２    絞り駆動部
１０３    撮像素子駆動部
１１０１    撮影レンズ
１１０２    絞り
１１０３    赤外線フィルタ
１１０４    光学ローパスフィルタ
１２０    撮像素子
１２１    アナログ信号処理部
１２２    Ａ／Ｄ部
１２３    デジタル信号処理部
１２４    表示制御部
１２５    表示部
１２６    圧縮伸張処理部
１２７    外部メモリ制御部
１２８    記録媒体
１２９    積算部
【図１】
2008250883.tif 000003
【図２】
2008250883.tif 000004
【図３】
2008250883.tif 000005
【図４】
2008250883.tif 000006
【図５】
2008250883.tif 000007
【図６】
2008250883.tif 000008
【図７】
2008250883.tif 000009
【図８】
2008250883.tif 000010
【図９】
2008250883.tif 000011
【図１０】
2008250883.tif 000012
【図１１】
2008250883.tif 000013
【図１２】
2008250883.tif 000014
【図１３】
2008250883.tif 000015